(57)【要約】  設計案のオブジェクト２１及びオブジェクトデータを部屋１１の境界壁面１６に表示する方法であって、部屋１１の設計案を選択し、制御装置に取り込む第１のステップ、表示装置１８の現在の表示領域２５を定める第２のステップ、表示装置１８の現在の表示領域２５を、境界壁面１６において、設計案と比較し、現在の表示領域２５に展開する設計案のオブジェクト２１を定める第３のステップ、現在の表示領域２５に展開するオブジェクト２１に適切な投影パラメーターを定め、表示装置１８へ送信する第４のステップ、現在の表示領域２５に展開するオブジェクト２１を境界壁面１６に前記表示装置１８により投影する第５のステップ、からなる方法。【選択図】図１
2016522905.tif 000002
【特許請求の範囲】
【請求項１】
設計案のオブジェクト（２１、５４．１〜５４．４、５６．１、５６．２）及びオブジェクトデータ（５５、５７．１、５７．２）を部屋（１１）の境界壁面（１６）に表示する方法であって、
前記部屋（１１）の設計案を選択し、制御装置（３６）に取り込む第１のステップ、
投影装置（４１）の現在の表示領域（２５）を定める第２のステップ、
前記投影装置（４１）の前記現在の表示領域（２５）を、前記境界壁面（１６）において、前記設計案と比較し、前記現在の表示領域（２５）に展開されている前記設計案の前記オブジェクト（２１、５４．１〜５４．４、５６．１、５６．２）を定める第３のステップ、
適切な投影パラメーターを前記現在の表示領域（２５）に展開する前記オブジェクト（２１、５４．１〜５４．４、５６．１、５６．２）用に定め、前記投影装置（４１）へ送信する第４のステップ、
前記現在の表示領域（２５）に展開する前記オブジェクト（２１、５４．１〜５４．４、５６．１、５６．２）を、前記投影装置（４１）により、前記境界壁面（１６）に投影する第５のステップ、からなる方法。
【請求項２】
前記投影装置（４１）の前記現在の表示領域（２５）は、現在の位置及び現在の向きから定められる、ことを特徴とする請求項１に記載の方法。
【請求項３】
前記部屋（１１）における前記投影装置（４１）の向きは、少なくとも２つの目標物（２３．１、２３．２、２３．３）の位置座標から定められる、ことを特徴とする請求項２に記載の方法。
【請求項４】
前記部屋（１１）における前記投影装置（４１）の向きは、カメラ装置（２４）によって定められる、ことを特徴とする請求項２に記載の方法。
【請求項５】
前記第２のステップから前記第５のステップは、ある頻度で繰り返される、ことを特徴とする請求項１に記載の方法。
【請求項６】
請求項１乃至６のいずれか１に記載の方法を実行する、設計案のオブジェクト（２１、５４．１〜５４．４、５６．１、５６．２）及びオブジェクトデータ（５５、５７．１、５７．２）を部屋（１１）の境界壁面（１６）に表示する装置（１０）であって、
操作部（３４）及び制御装置（３６）を有する操作装置（１７）と、
投影装置（４１）及び前記投影装置（４１）を制御する制御装置（４２）を有する表示装置（１８）と、を備える装置（１０）。
【請求項７】
前記表示装置（１８）は、前記部屋（１１）における前記表示装置（１８）の位置座標を規定する少なくとも１つの目標物（２３．１、２３．２、２３．３、６６、７１）を備える、ことを特徴とする請求項６に記載の装置。
【請求項８】
前記表示装置（１８）は、前記部屋（１１）における前記表示装置（１８）の複数の位置座標を規定する複数の目標物（２３．１、２３．２、２３．３）を備える、ことを特徴とする請求項７に記載の装置。
【請求項９】
前記表示装置（１８）は、前記部屋（１１）における前記表示装置（１８）の向きを定めるカメラ装置（２４）を備える、ことを特徴とする請求項７に記載の装置。
【請求項１０】
前記表示装置（１８）は、ハンドル（６３）を有する手持ち装置（６１）に組み込まれる、ことを特徴とする請求項６乃至９のいずれか１に記載の装置。
【請求項１１】
前記表示装置（１８）は、取付けアダプタ（８２）を有する装置（８１）に組み込まれる、ことを特徴とする請求項６乃至９のいずれか１に記載の装置。
【請求項１２】
前記装置（８１）は、回転軸又はピボット点に対して調整可能に構成される、ことを特徴とする請求項１１に記載の装置。
【請求項１３】
前記表示装置（１８）は、保護用作業ヘルメット（２６）に組み込まれる若しくは保護用作業ヘルメット（７２）に取り付けられる、ことを特徴とする請求項６乃至９のいずれか１に記載の装置。
【発明の詳細な説明】
【技術分野】
【０００１】
本発明は、請求項１の前提部に係る、建設設計案（Konstruktionsplans）のオブジェクト（objekten）及びオブジェクトデータを部屋の境界壁面に表示する方法及び請求項６の前提部に係る、設計案のオブジェクト及びオブジェクトデータを表示する機器に関する。
【背景技術】
【０００２】
建設プロジェクトにおいて、多くの専門家集団が、工事計画、施工、及び建物検査に携わっている。建設プロジェクトの計画では、建築士や建築技師そして、必要に応じて更なる専門家を交えて、建設プロジェクトの設計案を作成する。設計案におけるオブジェクトは、建設プロジェクトのサイズや複雑さに合わせたスケールで表示される。建設工程において、工事計画に続き、建設現場における建設作業が行われる。建設作業は、工具や建設機械を用いて施工作業者や技能者により行われ、施工管理者や現場監督により管理・調整される。様々な技能者は、建設工事に割り当てられた作業を広く行う業界団体により組織される。建設業における仕事は、特に大工職や木工業、据付工事、壁面工事、タイル工事や電気工事等である。
【０００３】
建設作業では、非常に手間がかかる方法で、技能者が設計案に描かれたオブジェクトを建設現場に転記する必要があるが、この転記をする際にエラーが起こる可能性がある。また、従来の設計案は、建設現場において作成すべきオブジェクトの作成手順を示さないという欠点がある。
【発明の概要】
【０００４】
本発明は、設計案のオブジェクト及びオブジェクトデータを部屋の境界壁面に表示する方法及び機器を開発することを目的とし、これは、操作者を手助けし、設計案から建設現場へオブジェクトを転記する際に起こるエラーを減らす。
【０００５】
この目的は、独立請求項１の特徴により、導入部分に記載された本発明に係る方法及び独立請求項６の特徴や導入部分に記載された本発明に係る機器により達成される。効果的な技術的詳細は従属項に記載される。
【０００６】
本発明によると、設計案のオブジェクト及びオブジェクトデータを部屋の境界壁面に表示する方法は、
部屋の設計案を選択し、制御装置に取り込む第１のステップ、
投影装置の現在の表示領域を境界壁面に定める第２のステップ、
現在の表示領域を、境界壁面において、設計案と比較し、現在の表示領域に展開される設計案のオブジェクトを定める第３のステップ、
適切な投影パラメーターを、現在の表示領域に展開するオブジェクト用に定め、投影装置へ送信する第４のステップ、
現在の表示領域に展開するオブジェクトを、投影装置により境界壁面に投影する第５のステップ、からなることを特徴とする。
【０００７】
設計案のオブジェクト及びオブジェクトデータを部屋における境界壁面へ表示すると、オブジェクトが建設作業の一部として作成される場所に表示されるという点で利点である。設計案から部屋の境界壁面へのオブジェクトの転記作業は、もはや不要であり、そのため、オブジェクトを作業が行われる対象物へ転記する際に起こるエラーは起こらない。更に、本発明に係る方法は、設計案オブジェクトを時系列に配置する事が出来る。
【０００８】
更なる発展おいて、投影装置の現在の表示領域は、現在の位置及び現在の向きから定められる。設計案にあるオブジェクトを境界壁面の位置に投影するために、設計案及び投影装置の座標系は、互いに対応付けられていなくてはならない。投影装置は、部屋における表示装置の位置座標を規定するための、少なくとも１つの目標物を有する表示装置の一部である。目標物は、基準装置により表示装置の位置座標を定めるのに用いられる。
【０００９】
第１の変形態様において、部屋における投影装置の向きは、少なくとも２つの目標物の位置座標から定められ、そして、第２の変形態様において、部屋における投影装置の向きは、カメラ装置により定められる。
【００１０】
好ましい展開において、本発明に係る方法の第２ステップから第５ステップは、ある頻度で繰り返される。第２ステップから第５ステップの繰り返しは、表示装置が動かされて、表示装置の位置及び向きが変わったときに重要である。投影装置は、投影装置の現在の表示領域に展開するオブジェクトを、境界壁面に投影する。これにより、操作者が見たいオブジェクトが確実に表示される。
【００１１】
特に本発明に係る方法の実行について、設計案のオブジェクト及びオブジェクトデータを部屋の境界壁面に表示する装置は、
操作部と制御装置とを有する操作装置と、
投影装置とこの投影装置を制御する制御装置を有する表示装置と、を備える。
【００１２】
本発明に係る装置では、設計案のオブジェクトを、建設作業の一部として作成される場所に表示する。設計案から部屋の境界壁面へのオブジェクトの転記作業は省略されるため、オブジェクトを作業が行われる対象物へ転記する際に起こるエラーは起こらなくなる。更に、オブジェクト及び対象物についての情報を表示することも出来る。
【００１３】
オブジェクトを設計案に示した通りに境界壁面の位置に投影するために、設計案及び投影装置の座標系は、互いに対応付けられていなくてはならない。対応付けは、一般的に基準装置と呼ばれる、二次元又は三次元の位置座標を定めるための既知の装置により行われ、それは、トータルステーションとして構成され得る。従って、通常、設計案及び基準装置の座標系がまず対応付けられ、それから、基準装置及び投影装置の座標系が互いに対応付けられる。
【００１４】
表示装置は、部屋における表示装置の位置座標を設定する少なくとも１つの目標物を有することが好ましい。その少なくとも１つの目標物は、基準装置により、室内における表示装置の位置座標を定めるのに用いられる。
【００１５】
特に好ましい態様において、表示装置は、部屋における表示装置の複数の位置座標を設定する複数の目標物を有する。表示装置の目標物は、ディファレンシャルジェネレーション（Differenzbildung）により部屋における表示装置の現在の向きを定めるためや、部屋における現在の位置を定める際の精度を上げるために、用いても良い。
【００１６】
表示装置は、部屋における表示装置の向きを定めるカメラ装置を備えても良い。カメラ装置は、基準装置との併用により、部屋における表示装置の現在の向きを定めるのに用いられる。
【００１７】
第１の好ましい態様において、表示装置は、ハンドルを備える手持ち式ユニットに組み込まれる。手持ち式ユニットとして構成することは、部屋において、作成されるオブジェクトの簡単な全体像を得たい操作者が使用するのに適している。操作者は、ハンドルを握り、操作者が設計案のオブジェクトを表示したい部屋の境界壁面に、投影装置を備えた手持ち式ユニットを向ける。
【００１８】
第２の好ましい態様において、表示装置は、取付けアダプタを備える装置に組み込まれる。この構成では、三脚や昇降台等に表示装置を埋め込む事が可能で、建設作業を行う技能者にとりわけ適している。壁等の境界壁面に、ドリルを用いてドリル孔を開けるために、境界壁面へのドリル孔の投影は、一定且つ可能な限り正確で無くてはならない。
【００１９】
そのため、機器は、回転軸に対して調整可能に、特に好ましい態様で構成される。操作者は、表示装置が、境界壁面にその操作者と関係のあるオブジェクトを投影するように、表示装置の位置合わせをする。表示装置の位置合わせは、操作者により手動若しくは遠隔操作により行うことが出来る。
【００２０】
第３の好ましい態様において、表示装置は、保護用作業ヘルメットに取り付けられるか、保護用作業ヘルメットに組み込まれる。保護用作業ヘルメットへの表示装置の取り付け又は組み込みは、表示装置の現在の表示領域が常に操作者が見ている場所に展開されるという利点を持つ。操作者の視野に展開する設計案のオブジェクト及びオブジェクトデータは、操作者に対して表示される。仮に操作者が、最初は部屋の左側壁を見ていて、それから１８０°向きを変え、反対側の右側壁を見ると、操作者には、反対側の右側壁に配置したオブジェクト及びオブジェクトデータが示される。
【００２１】
本発明の様態を、図面を参照して説明する。以下は、発明の様態を必ずしも正確な縮尺で表しておらず、図面は、発明の様態を説明する助けとして、むしろ概略的に及び／又は若干歪曲した形で描かれている。図面から直接的に明確な教示については、関連する従来技術を参照されたい。この場合、本発明は、本発明の一般的な概念を逸脱することなく、発明の特定の様態の形態や詳細について、様々な変形や修正が可能である。明細書、図面及び特許請求の範囲に記載の本発明の特徴は、個別に及び任意の組合せにおいて本発明の改良に必要となろう。明細書、図面及び／又は特許請求の範囲に記載の本発明の特徴の内、少なくとも２つの特徴の全ての組合せが、この発明の技術的範囲内である。本発明の一般的な概念は、以下に図示及び記載する発明の好ましい特定の様態そのものやその細部に限定されるものでは無く、また、特許請求の範囲に係る発明と比較して限定された対象に限定されない。規定された測定範囲の場合、上記限定内の数値も限界値として採用されるはずであり、適宜使用可能及び請求可能である。便宜上、同一の参照符号が、同一又は同様の機能を持つ同一又は同様の部分を示すために以下で使用される。
【図面の簡単な説明】
【００２２】
【図１】設計案のオブジェクト及びオブジェクトデータを内部空間に表示する、操作装置、表示装置及び基準装置を備えた本発明に係る機器の使用を示す図である。
【図２】図１に示した本発明に係る機器の、操作装置、表示装置及び基準装置の相互関係を示したブロック図である。
【図３】図１に示した本発明に係る機器を用いて、設計案のオブジェクト及びオブジェクトデータを作業が行われる対象物に表示する本発明に係る方法を示した図である。
【図４Ａ】図１に示した実施例を用いて、設計案の第１の画面を有する表示装置の表示領域を示す図である。
【図４Ｂ】図１に示した実施例を用いて、設計案の第２の画面を有する表示装置の表示領域を示す図である。
【図５Ａ】表示装置の異なる実施例を示す図であり、手持ち装置として構成された表示装置の図である。
【図５Ｂ】表示装置の異なる実施例を示す図であり、保護用作業ヘルメットに組み込んだ表示装置の図である。
【図５Ｃ】表示装置の異なる実施例を示す図であり、取付けアダプタを有する機器として構成された表示装置の図である。
【発明を実施するための形態】
【００２３】
図１は、設計案のオブジェクト及びオブジェクトデータを内部空間１１に表示する本発明に係る機器１０の使用を示す図である。内部空間１１は、床１２、天井１３、２つの側壁１４、１５及び後壁１６からなる。内部空間１１の境界１２〜１６は、集合的に「境界壁面」という用語でまとめる。
【００２４】
図１は、機器１０の必須要素を示す概略図である。機器１０は、操作装置１７、表示装置１８及び基準装置１９を備える。図１に示した操作装置１７及び表示装置１８を別々に設置する代わりに、操作装置は、表示装置に組み込まれても良い。機器１０は、設計案のオブジェクト及びオブジェクトデータを対象物に表示する。設計案は、建設プロジェクトの技術図面のことを指し、構成材料や組立品の作成に必要な全ての情報が図表により描かれる。「オブジェクト」という用語は、設計案に含まれる構成材料や組立品等の総称である。オブジェクトのオブジェクトデータは、例えば、オブジェクトの幾何学的な形状（長さ、幅又は直径）を含む。
【００２５】
機器１０の機能は、典型的なワークタスクによって説明される。取付けレール２１は、後壁１６に備え付けられる。取付けレールは、２つの取付け板により、備え付けられる。そうするために、所定のパターンに従って、ドリル孔は、後壁１６に開けられなければならず、そこに適切なスクリューアンカーを続けて挿入する。スクリューアンカーの種類とスクリューアンカーの寸法（直径）は、後壁１６の対象物によって決まり、また、取付けレール２１の負荷容量によって決まる。後壁１６の対象物は、適切な穿孔工具の選択及びドリルの穿孔パラメータにも影響を及ぼす。
【００２６】
機器１０は、様々な技能者をそれぞれのタスクにおいて補助することを目的とする。機器１０の補助援作業は、後壁１６にドリル孔を表示することを含む。後壁１６上の設計案に示されたドリル孔を開ける位置にドリル孔を投影するために、設計案及び表示装置１８の座標系は、基準装置１９を用いて対応付けられる。その際、まず、設計案及び基準装置１９の座標系が対応付けられ、そして、基準装置１９及び表示装置１８の座標系が対応付けられる。
【００２７】
基準装置１９及び設計案との対応付けは、既知の参照オブジェクトを用いて行われる。設計案において、複数の参照オブジェクトは、内部空間１１の目立つ位置に配置されるものと定義付けされ、このため、設計案及び基準装置１９の座標系を対応付けるのに適している。図１は、内部空間１１の四隅に置かれている、後壁１６に接している４つの参照オブジェクト２２．１、２２．２、２２．３、２２．４を示す。例えば、反射目標物が参照オブジェクトとして用いられる。
【００２８】
基準装置１９に対する表示装置１８の位置及び向きは、目標物を用いて定める。表示装置１８は、複数の目標物を有する。図１では、３つの目標物２３．１、２３．２、２３．３を示す。基準装置１９に対する表示装置１８の向きは、表示装置１８に取り付けられたカメラ装置２４を用いて、別の方法で定めることも出来る。その方向及び向きに応じて、表示装置１８は、表示装置１８と向かい合っている境界壁面に表示領域２５を投影する。図１において、表示装置１８の表示領域２５は、後壁１６に投影される。図１は、保護用作業ヘルメット２６に設けられている表示装置１８を示した図である。
【００２９】
図２は、図１に示した本発明に係る機器１０の操作装置１７、表示装置１８及び基準装置１９の相互関係を示したブロック図である。
【００３０】
操作装置１７及び表示装置１８は、別々に構成されているか、通信リンク３１を介して接続されているか接続可能に構成されている。操作装置１７及び基準装置１９も、通信リンク３２を介して互いにつながっているか互いに接続可能である。通信リンク３１、３２は、無線通信リンク、例えば、赤外線、ブルートゥース（登録商標）、ＷＬＡＮ即ちＷｉ−Ｆｉ接続、又は有線通信リンクとして構成され得る。記載した無線接続技術の他、全ての既知の及び将来の無線接続技術が、データ及び画像転送に適している。
【００３１】
携帯型である操作装置１７は、操作部３４及び表示部３５を実装する筐体３３を備える。操作部３４及び表示部３５は、図２に示すように別々に構成されているか、若しくは、タッチスクリーン等に一体的に組み込むように構成され得る。操作装置１７は、制御装置３６、記憶部３７及び第１の送受信部３８も備える。
【００３２】
表示装置１８は、投影装置４１、その投影装置４１を制御する制御装置４２及び第２の送受信部４３を有する。操作装置１７の第１の送受信部３８に基づき、通信リンク３１は、表示装置１８の第２の送受信部４３のために設定される。投影装置４１を回転するための制御コマンドは、通信リンク３１を介して、操作装置１７の制御装置３６により、表示装置１８の制御装置４２へ送信される。
【００３３】
基準装置１９は、レーザー測定装置４４、そのレーザー測定装置４４を制御する制御装置４５及び第３の送受信部４６を備える。基準装置１９は、例えば、トータルステーションとして構成され、レーザー測定装置４４は、例えば、距離・角度測定装置として構成される。操作装置１７の第１の送受信部３８に基づき、通信リンク３２は、基準装置１９の第３の送受信部４６のために設定される。操作部３４を用いて、操作者は、基準点及び基準配向の判定を開始する。基準判定用の制御コマンドは、通信リンク３２を介して、操作装置１７の制御装置３６により、基準装置１９の制御装置４５へ送信される。
【００３４】
設計案は、操作装置１７の記憶部３７に記憶される。操作装置１７は、更なる通信リンク４７を介して、中央記憶装置４８に接続され得る。「中央記憶装置」という用語は、データをアーカイブするために使用される全ての電子機器を含む。それらは、サーバー、ノートブック型パソコン、コンピュータ、外付けハードディスク及びＰＤＡを含む。通信リンク４７を介して、設計案は、中央記憶装置４８から操作装置１７へ送信され、記憶部３７に記憶することが出来る。また、実行済みの設計案及び関連資料が、操作装置１７により、中央記憶装置４８へ送信され、そこでアーカイブされる。
【００３５】
中央記憶装置４８は、記憶部５１及び第４の送受信部５２を備える。操作装置１７の第１の送受信部３８に基づき、通信リンク４７は、中央記憶装置４８の第４の送受信部５２のために設定される。設計案、写真、ビデオファイル等としてのデータは、通信リンク４７を介して、操作装置１７の制御装置３６から記憶部５１へ送信されるか、制御装置３６が、データを記憶部５１から操作装置１７へ送信する。
【００３６】
図３は、図１に示した本発明に係る機器１０を用いて、設計案のオブジェクト及びオブジェクトデータを内部空間１１の境界壁面１６に表示する本発明に係る方法を示したフローチャートである。
【００３７】
ステップＳ０１において、操作者は、自身のワークタスクに用いる内部空間１１の設計案を操作装置１７で選択する。設計案は、操作装置１７の記憶部３７に記憶され、操作者により、適切な設計案が操作部３４を用いて選択される。設計案は、制御装置３６に取り込まれる。あるいは、操作者は、操作部３４を介して、中央記憶装置４８への通信リンク４７を設定し、そして、その通信リンク４７を介して、設計案を記憶部５１から操作装置１７の制御装置３６へ送信しても良い。
【００３８】
全体計画として、設計案は、内部空間１１のオブジェクト全てを有しても良く、また、部分計画として、設計案は、一部のオブジェクトのみを有しても良い。設計案の異なるオブジェクト及びオブジェクトデータは、異なる技能者、例えば、電気技師、レンガ工及び据付者に関連する。設計案をそれぞれの技能者の要求に適合させるために、ステップＳ０１において、二次設計案は、個別に、又は、少なくとも２つの二次設計案の様々な組み合わせにおいて選択し、制御装置３６に取り込んでも良い。
【００３９】
ステップＳ０２において、操作者は、操作部３４により、第１及び第２の参照オブジェクトを、基準判定（基準位置及び基準配向）用に、設計案に含まれる参照オブジェクト２２．１〜２２．４から、操作装置１７で選択する。基準判定は、基準装置１９及び設計案の座標系を同期するのに用いる。基準判定には、少なくとも２つの参照オブジェクトが必要で、それらの位置は設計案において示される。更なる参照オブジェクトを用いることで、基準判定の精度を向上させることが出来る。更に、操作者は、ステップＳ０３において、第１及び第２の目標物を目標物２３．１〜２３．３から選択する。目標物を用いることにより、基準装置１９に対する表示装置１８の現在の方向及び向きが定められ、それには、少なくとも２つの目標物が必要である。あるいは、基準装置１９に対する表示装置１８の向きは、カメラ装置２４を用いて定めることも出来る。表示装置１８の現在の位置を定めるには、１つの目標物のみが必要で、更なる目標物を用いることにより、位置判定の精度を向上させることが出来る。
【００４０】
ステップＳ０４において、基準装置１９のレーザー測定装置４４は、操作者により、手動又は自動で第１の参照オブジェクトへ向けられ、そのレーザー測定装置４４は、ステップＳ０５において、第１の参照オブジェクトの距離及び角度測定を行う。測定した距離及び角度の値は、ステップＳ０６において、通信リンク３２を介して、操作装置１７の制御装置３６へ送信され、その制御装置３６に記憶される。第１の参照オブジェクトの測定後、第２の参照オブジェクトが、第１の参照オブジェクトと同様に測定される。レーザー測定装置４４は、ステップＳ０７において、第２の参照オブジェクトの方へ向けられ、そのレーザー測定装置４４は、ステップＳ０８において、第２の参照オブジェクトの距離及び角度測定を行う。測定した距離及び角度の値は、ステップＳ０９において、通信リンク３２を介して、操作装置１７の制御装置３６へ送信され、その制御装置３６に記憶される。
【００４１】
それらの基準判定の後、表示装置１８の現在の位置及び向きは、基準装置１９に対して定められる。ステップＳ１０において、レーザー測定装置４４は、操作者により、手動又は自動で第１の目標物へ向けられ、ステップＳ１１において、レーザー測定装置４４は、第１の目標物の距離及び角度測定を行う。測定した距離及び角度の値は、ステップＳ１２において、通信リンク３２を介して、操作装置１７の制御装置３６へ送信され、その制御装置３６に記憶される。第１の目標物の測定後、第２の目標物が、第１の目標物同様に測定される。レーザー測定装置４４は、ステップＳ１３において、第２の目標物へ向けられ、レーザー測定装置４４は、ステップＳ１４において、第２の目標物の距離及び角度測定を行う。測定した距離及び角度の値は、ステップＳ１５において、通信リンク３２を介して、操作装置１７制御装置３６へ送信され、その制御装置３６に記憶される。目標物の測定した距離及び角度の値から、制御装置３６は、ステップＳ１６において、基準装置１９に対する表示装置１７の現在の位置及び現在の向きを算出する。あるいは、基準装置１９に対する表示装置１８の現在の向きは、カメラ装置２４を用いて定められ得る。
【００４２】
ステップＳ１７において、制御装置３６は、表示装置１８の現在の表示領域２５を、その表示装置１８の現在の位置及び現在の向きから定める。続いて、制御装置３６は、ステップＳ１８において、現在の表示領域２５に配置されている、設計案のオブジェクト用の適切な投影パラメーターを定め、ステップＳ１９において、投影パラメーターを投影装置４１へ送信する。内部空間１１の境界壁面１２〜１６には、投影されたオブジェクトの質や精度を低下させるむらがあっても良い。境界壁面１２〜１６の表面は、カメラによって定められ、境界壁面１２〜１６のむらは、画像処理によって定められ、ステップＳ１８の投影パラメーターにおいて考慮される。投影装置４１は、ステップＳ２０において、現在の表示領域２５に配置されたオブジェクト及び関連オブジェクトデータを後壁１６に投影する。ステップＳ２０の後、この方法はステップＳ１０へと続く。ステップＳ１０からステップＳ２０は、ある頻度で繰り返される。
【００４３】
図４Ａ及び図４Ｂは、表示装置１８の表示領域２５を、一例として、図１に表したワークタスクを用いて、第１の画面（図４Ａ）及び第２の画面（図４Ｂ）に示した図である。取付けレール２１は、２つの取付け板を用いて、後壁１６に備え付けられる。
【００４４】
図４Ａは、後壁１６に開けられた４つの同じドリル孔５４．１〜５４．４を含むドリルパターンを示す図である。後壁１６上のドリル孔５４．１〜５４．４の位置の他に、ドリル孔５４．１〜５４．４に関する関連オブジェクトデータ５５が、後壁１６に投影される。操作者は、操作部３４を用いて、重ねられたオブジェクトデータ５５の数及び種類を定めることが出来る。ドリル孔に関して、関連オブジェクトデータは、例えば、ドリル孔の直径（直径８ｍｍ）、ドリル孔の深さ（深さ３０ｍｍ）、及び後壁１６となる対象物に関する情報（コンクリート）を含む。
【００４５】
図４Ｂは、対象物に投影された第１及び第２の取付け板５６．１、５６．２を示した図である。取付け板１０は、取付け板５６．１、５６．２により後壁１６に取り付けられる。取付け板５６．１、５６．２の他に、表示領域２５は、取付け板５６．１、５６．２に関する、関連オブジェクトデータ５７．１、５７．２も表示する。
【００４６】
図５Ａから図５Ｃは、表示装置１８の３つの異なる実施例を示し、手持ち装置として構成された表示装置（図５Ａ）、保護用作業ヘルメットに組み込んだ表示装置（図５Ｂ）、及び取付けアダプタを有する機器として構成された表示装置（図５Ｃ）を示す図である。
【００４７】
図５Ａは、機器１０の表示装置１８及び操作装置１７が組み込まれた手持ち装置６１を示した図である。手持ち装置６１は、ハンドル６３と連結した装置ハウジング６２を備える。操作者は、ハンドル６３を握り、投影装置４１を配置した正面６４で、手持ち装置６１を、操作者が設計案のオブジェクトを表示しようとしている部屋の境界壁面へ向ける。操作装置１７の操作部３４及び表示部３５は、装置ハウジング６２の上面６５に設置されている。装置ハウジング６２の内部に配置されているものは、操作装置１７の制御装置３６及び投影装置４１を制御する操作装置１７である。
【００４８】
手持ち装置６１又は表示装置１８の現在の位置は、装置ハウジング６２の上面６５に取り付けられた目標物６６を用いて定められる。手持ち装置６１又は表示装置１８の現在の向きは、装置ハウジング６２の正面６４に設置されているカメラ装置２４を用いて定められる。
【００４９】
図５Ｂは、保護用作業ヘルメット７２に組み込んだ、若しくは保護用作業ヘルメット７２に取り付けた、投影装置４１、カメラ装置２４及び目標物７１を有する機器１０の表示装置１８を示す図である。投影装置４１の保護用作業ヘルメット７２への組み込みは、表示装置１８の現在の表示領域２５が、常に操作者が見ている場所へ展開されるという利点がある。操作者の視野に、設計案のオブジェクト及びオブジェクトデータが、明確に示される。
【００５０】
保護用作業ヘルメットは、建設現場での労働安全設備として多くの工業国や、その他の危険地域で必要とされる安全帽である。既知の保護用作業ヘルメットには、聴覚保護、電池式照明、動力鋸作業用の顔面保護等の様々な付属部品を取り付けることが出来る。
【００５１】
図５Ｃは、第３の実施例の機器１０の表示装置１８を、取付けアダプタ８２を備えた装置８１として示した図である。装置８１は、調整装置８４に接続された装置ハウジング８３を備える。装置８１は、調整装置８４によって、回転軸に対して調整可能に設計される。操作者は、表示装置１８の表示領域が、操作者に関連するオブジェクトを境界壁面に投影するように、部屋の中で表示装置１８を指向させる。表示装置１８は、操作者により手動で指向させるか、若しくは、遠隔操作により制御されても良い。装置８１は、取付けアダプタ８２により、例えば、三脚８５や昇降台に取り付けられても良い。
【図１】
2016522905.tif 000003
【図２】
2016522905.tif 000004
【図３】
2016522905.tif 000005
【図４Ａ】
2016522905.tif 000006
【図４Ｂ】
2016522905.tif 000007
【図５Ａ】
2016522905.tif 000008
【図５Ｂ】
2016522905.tif 000009
【図５Ｃ】
2016522905.tif 000010
【国際調査報告】
2016522905.tif 000011
2016522905.tif 000012
2016522905.tif 000013
2016522905.tif 000014